(57)【要約】【課題】飲酒状態を始めとして運転者が所定の生理状態にある場合に、運転禁止を啓蒙できる一方で、万一運転した場合でも注意喚起して運転できる車載表示装置を提供することを課題とする。【解決手段】生理情報取得手段１によって取得された飲酒状態を始めとした運転者の生理情報に基づいて、運転者状態判定手段２ａによって運転者が所定の状態にあると判定すると、表示方法変更手段２ｂによって自車両の表示部３の表示方法を変更し、運転禁止を啓蒙する一方で、万一運転した場合でも注意喚起して運転させるようにする。【選択図】図１
2009087148.tif 000002
【特許請求の範囲】
【請求項１】
運転者の生理情報を取得する生理情報取得手段と、
前記生理情報取得手段により取得された生理情報に基づいて前記運転者が所定の状態にあるか否かを判定する運転者状態判定手段と、
前記運転者状態判定手段により前記運転者が前記所定の状態にあると判定されると、自車両の表示部の表示方法を変更する表示方法変更手段と、を具備したことを特徴とする車載表示装置。
【請求項２】
前記表示方法変更手段は、所定の情報に関する表示を行わない、又は、所定の情報に関する表示を輝度を変更して表示することを特徴とする請求項１記載の車載表示装置。
【請求項３】
前記所定の情報は、前記運転者の操作を必要とする機能に関する情報であることを特徴とする請求項２記載の車載表示装置。
【請求項４】
前記表示方法変更手段は、前記表示部の表示を点滅させて表示させることを特徴とする請求項１記載の車載表示装置。
【発明の詳細な説明】
【技術分野】
【０００１】
本発明は、車載表示装置に関する。
【背景技術】
【０００２】
近年、運転者が乗車すると飲酒の有無を判断し飲酒を検出したら、エンジンの始動を禁止し事故を未然に防止するインターロック装置が開発されている（例えば、特許文献１参照）。
【特許文献１】特開平６−５０９１８号公報
【発明の開示】
【発明が解決しようとする課題】
【０００３】
しかしながら、上記公報に記載のものにあっては、インターロック装置が作動しなかった場合には飲酒状態の運転になり、また、緊急避難時等やむを得ず運転しなければならない状況においては不適切な制御となる。
【０００４】
本発明は、このような課題を解決するために成されたものであり、飲酒状態を始めとして運転者が所定の（不適な）生理状態にある場合に、運転禁止を啓蒙できる一方で、万一運転した場合でも注意喚起して運転させることができる車載表示装置を提供することを目的とする。
【課題を解決するための手段】
【０００５】
本発明による車載表示装置は、運転者の生理情報を取得する生理情報取得手段と、生理情報取得手段により取得された生理情報に基づいて運転者が所定の状態にあるか否かを判定する運転者状態判定手段と、運転者状態判定手段により運転者が所定の状態にあると判定されると、自車両の表示部の表示方法を変更する表示方法変更手段と、を具備したことを特徴としている。
【０００６】
このような車載表示装置によれば、生理情報取得手段によって取得された飲酒状態を始めとした運転者の生理情報に基づいて、運転者状態判定手段によって運転者が所定の状態にあると判定すると、表示方法変更手段によって自車両の表示部の表示方法を変更するようにしているため、飲酒状態を始めとして運転者が所定の状態にある場合に、運転禁止を啓蒙できる一方で、万一運転した場合でも注意喚起して運転させることができる。
【０００７】
ここで、上記作用を好適に奏する表示方法変更手段としては、具体的には、所定の情報に関する表示を行わない、又は、所定の情報に関する表示を輝度を変更して表示する構成が挙げられる。そして、このように所定の情報に関する表示を行わないことにより、運転禁止を啓蒙できる一方で、万一運転した場合でも余計な表示が無く注意喚起しながら運転に集中させることができる。また、所定の情報に関する表示を輝度を変更して表示することにより、表示を見難くし運転禁止を一層啓蒙できる一方で、万一運転した場合でも注意喚起して運転させることができる。
【０００８】
また、上記作用を好適に奏する所定の情報としては、具体的には、運転者の操作を必要とする機能に関する情報が挙げられる。
【０００９】
さらにまた、上記作用を好適に奏する表示方法変更手段としては、具体的には、表示部の表示を点滅させて表示させる構成が挙げられる。そして、このように表示部の表示を点滅させて表示させることにより、運転操作を煩わしくさせて運転禁止を一層啓蒙できる一方で、万一運転した場合でも注意喚起して運転させることができる。
【発明の効果】
【００１０】
このように本発明による車載表示装置によれば、飲酒状態を始めとして運転者が所定の生理状態にある場合に、運転禁止を啓蒙できる一方で、万一運転した場合でも注意喚起して運転させることができる。
【発明を実施するための最良の形態】
【００１１】
以下、本発明に係る車載表示装置の好適な実施形態について添付図面を参照しながら説明する。図１は、本発明の実施形態に係る車載表示装置を示すブロック構成図、図２は、図１の車載表示装置を備えた車両の動作を示すフロー図、図３は、図１中の表示部を具体的に示す図である。
【００１２】
図１に示すように、本実施形態の車載表示装置１００は、飲酒検出装置（生理情報取得手段）１と、各種の表示を行う表示部３と、飲酒検出装置１からの情報を受けて表示部３を制御する制御ＥＣＵ２と、を備えている。
【００１３】
飲酒検出装置１は、運転者の飲酒情報（生理情報）を検出（取得）するものであり、ここでは、運転者の呼気からアルコール濃度を検出するものが採用される。
【００１４】
表示部３は、図３に示すように、スピードメータやタコメータ等のメータ３ａ、マルチディスプレイ３ｂ、種々のインジケータ３ｃ、フロントガラス４に投影されるヘッドアップディスプレイ（ＨＵＤ）３ｄ等を備えている。
【００１５】
図１に戻って、制御ＥＣＵ２は、電子制御する自動車デバイスのコンピュータであり、ＣＰＵ（CentralProcessing Unit）、ＲＯＭ（Read Only Memory）、ＲＡＭ（Random Access Memory）及び入出力インターフェイス等を備え、特に本実施形態においては、運転者状態判定手段２ａ及び表示方法変更手段２ｂの機能を備えている。
【００１６】
運転者状態判定手段２ａは、飲酒検出装置１で検出された飲酒情報に基づいて、運転者が飲酒状態にあるか否かを判定する機能を有するものである。そして、飲酒状態にあるか否かは、予め設定されているアルコール濃度との比較により行う。
【００１７】
表示方法変更手段２ｂは、運転者状態判定手段２ａで運転者が飲酒状態にあると判定されると、前述した表示部３の表示方法を通常の表示に対して変更する機能を有するものである（詳しくは後述）。
【００１８】
次に、このような構成を有する車載表示装置１００を備えた車両の動作について、図２に示すフロー図を参照しながら説明する。
【００１９】
図２に示すように、処理が開始されると、先ず、ステップ２０１（Ｓ２０１）において、車両起動処理を実行し、次いで、ステップ２０２において、飲酒検出装置１により運転者の飲酒情報を検出し当該情報に基づいて飲酒状態にあるか否かを判定し、飲酒状態にあると判定した場合には、ステップ２０３において、表示部３を制御して機能表示を消灯し所定の情報に関する表示を行わないようにし、次いで、ステップ２０４において、このように表示を消灯した状態で走行処理を行い、メイン処理に戻る。なお、ここでいう所定の情報とは、運転者の操作を必要とする機能に関する情報である。
【００２０】
一方、ステップ２０２において、飲酒状態にないと判定した場合には、ステップ２０４にスキップし、ステップ２０４において、通常の表示による走行処理を行い、メイン処理に戻る。
【００２１】
このように、本実施形態においては、飲酒検出装置１によって検出された飲酒情報に基づいて、運転者状態判定手段２ａによって運転者が飲酒状態にあると判定すると、表示方法変更手段２ｂによって表示部３の表示方法を変更するため、運転禁止を啓蒙できる一方で、万一運転した場合でも（緊急避難時等やむを得ず運転しなければならない状況において運転した場合でも）注意喚起して運転させることができる。
【００２２】
そして、特に本実施形態では、表示方法を変更すべく機能表示を消灯するようにしているため、運転禁止を啓蒙できる一方で、万一運転した場合でも余計な表示が無く注意喚起しながら運転に集中させることができる。
【００２３】
ここで、表示方法変更手段２ｂにより、表示部３を例えばホワイトアウト化する等し輝度を変更して表示するようにし、表示を見難くし運転禁止を一層啓蒙する一方で、万一運転した場合でも注意喚起して運転させるようにしても良い。なお、ホワイトアウト時に、より高輝度とすれば、光源からの眩しさにより不快感（不快グレア）が一層高められ、運転禁止をより一層啓蒙できる。
【００２４】
また、表示部３を例えば交互にホワイトアウト化、ブラックアウト化して点滅させる等の点滅表示とし、運転操作を煩わしくさせて運転禁止を一層啓蒙する一方で、万一運転した場合でも注意喚起して運転させるようにしても良い。なお、前述したのと同様に、より高輝度とすれば、不快感が一層高められ、運転禁止をより一層啓蒙できる。因みに、交互の点滅条件としては、視覚意識として残りやすい周波数帯であると共にてんかん症状への影響が少ない領域である、０〜１０Ｈｚとするのが好ましい。
【００２５】
以上、本発明をその実施形態に基づき具体的に説明したが、本発明は上記実施形態に限定されるものではなく、例えば、上記実施形態においては、特に好適であるとして、生理情報取得手段を飲酒検出装置１として当該飲酒検出装置１により運転者の飲酒を検出したら、表示方法変更手段２ｂにより表示部３の表示方法を変更するようにしているが、例えば、飲酒検出装置１を他の生理情報取得手段として当該他の生理情報取得手段により運転者の生理情報を取得し、この生理情報に基づいて、運転者状態判定手段２ａにより運転者が所定の（不適な）状態にあるか否かを判定し、運転者が所定の状態にあると判定したら、表示方法変更手段２ｂにより表示部３の表示方法を変更するようにしても良い。
【図面の簡単な説明】
【００２６】
【図１】本発明の実施形態に係る車載表示装置を示すブロック構成図である。
【図２】図１の車載表示装置を備えた車両の動作を示すフロー図である。
【図３】図１中の表示部を具体的に示す図である。
【符号の説明】
【００２７】
１…飲酒検出装置（生理情報取得手段）、２…制御ＥＣＵ、２ａ…運転者状態判定手段、２ｂ…表示方法変更手段、３…表示部、１００…車載表示装置。
【図１】
2009087148.tif 000003
【図２】
2009087148.tif 000004
【図３】
2009087148.tif 000005